(57)【要約】【課題】分岐部があるワイヤハーネスにコルゲートチューブを簡単に取り付けられる保護具を提供する。【解決手段】ワイヤハーネスの幹線の半周を囲む断面円弧状の横軸部と、該横軸部の長さ方向中央から突出すると共に前記幹線から分岐する枝線の半周を囲む断面円弧状の縦軸部を備えたＴ形状の取付材を備え、前記横軸部の長さ方向の両側部の外面に、長さ方向中央から先端に向けて横向きＶ字状に離反する一対の第１、第２ガイド部を突設し、  前記ワイヤハーネスの枝線を挟む幹線の両側にそれぞれ外装するコルゲートチューブに設けられたスリットを拡げ、該スリットの分割エッジをそれぞれ前記第１、第２ガイド部の両側外面に添わせて先端へと移動させて前記スリットを開いて前記コルゲートチューブを前記幹線に外装できるものとしている。【選択図】図１
2013225981.tif 000002
【特許請求の範囲】
【請求項１】
ワイヤハーネスの幹線の半周を囲む断面円弧状の横軸部と、該横軸部の長さ方向中央から突出すると共に前記幹線から分岐する枝線の半周を囲む断面円弧状の縦軸部を備えたＴ形状の取付材を備え、
前記横軸部の長さ方向の両側部の外面に、長さ方向中央から先端に向けて横向きＶ字状に離反する一対の第１、第２ガイド部を突設し、
前記ワイヤハーネスの枝線を挟む幹線の両側にそれぞれ外装するコルゲートチューブに設けられたスリットを拡げ、該スリットの分割エッジをそれぞれ前記第１、第２ガイド部の両側外面に添わせて先端へと移動させて前記スリットを開いて前記コルゲートチューブを前記幹線に外装できるものとしていることを特徴とするワイヤハーネス分岐部の保護具。
【請求項２】
前記取付材を、ワイヤハーネスの幹線の全周および枝線の外周を囲むように一対設け、該一対の取付材を前記幹線および枝線の分岐部の全周にかぶせた状態で互いに係止できる係止部を突き合わせ端縁に設けている請求項１に記載のワイヤハーネス分岐部の保護具。
【請求項３】
前記縦軸部の外面に、該縦軸部の先端に向けてＶ字状に両側外面が離反する第３ガイド部を突設している請求項１または請求項２に記載のワイヤハーネス分岐部の保護具。
【請求項４】
前記取付材は、横軸部の中央下端から更に下向き縦軸部を突設して十字形状とし、該下向き縦軸部の外面にも下端に向けて下向きＶ字状に両側外面が離反する第４ガイド部を突設している請求項１乃至請求項３のいずれか１項に記載のワイヤハーネス分岐部の保護具。
【請求項５】
請求項１乃至請求項４のいずれか１項に記載の保護具とコルゲートチューブとを分岐部に外装しているワイヤハーネス分岐部の保護構造。
【発明の詳細な説明】
【技術分野】
【０００１】
本発明はワイヤハーネス分岐部の保護具に関し、特に、コルゲートチューブで外装保護するワイヤハーネスの幹線から枝線が分岐する部分を保護する保護具に関する。
【背景技術】
【０００２】
自動車に配索するワイヤハーネスの電線群を集束保護するために樹脂成形品からなるコルゲートチューブで外装している場合が多い。該コルゲートチューブで外装したワイヤハーネスの幹線から枝線が分岐する場合、図１１に示すように、コルゲートチューブ１００に丸穴状の開口１００ａを分岐位置に設け、該開口１００ａよりワイヤハーネスの幹線Ｗ／Ｈ−１から分岐する枝線Ｗ／Ｈ−２を外部に引き出している。
【０００３】
前記ワイヤハーネスの分岐位置で、コルゲートチューブの開口のバリやエッジがあると、枝線に損傷を与える恐れがある。よって、本出願人は、特開２００７−２８８９７２号公報で、図１２に示すように、ワイヤハーネスの幹線Ｗ／Ｈ−１から枝線Ｗ／Ｈ−２が分岐する位置にＴ形状筒部からなる分岐保護材１１０を取り付け、該分岐保護材１１０に開口１００ａを設けたコルゲートチューブ１００を外装している。コルゲートチューブ１００を外装した後に枝線側にもコルゲートチューブ１２０を被せ、最後に分岐部に粘着テープＴを股掛けして固着している。
【先行技術文献】
【特許文献】
【０００４】
【特許文献１】特開２００７−２８８９７２号公報
【発明の概要】
【発明が解決しようとする課題】
【０００５】
図１２に示す特許文献１の分岐保護材１１０をワイヤハーネスの分岐位置に取り付けた後に、コルゲートチューブ１００を外装する場合、まず、コルゲートチューブ１００の分岐位置に予め開口１００ａを設ける中間穴抜き加工が必要となり、作業工数が増加する。また、分岐保護材１１０を取り付けたワイヤハーネスにコルゲートチューブ１００を外装するための専用通し治具が必要となる。さらに、コルゲートチューブ１００の開口１００ａを分岐位置に合わせる作業、位置合わせ後に分岐保護材１１０の分岐部側と枝線Ｗ／Ｈ−２とをコルゲートチューブの開口１００ａから引き出す作業が必要となる。
【０００６】
本発明は前記問題に鑑みてなされたもので、コルゲートチューブで外装するワイヤハーネスの幹線から枝線が分岐する位置で、コルゲートチューブに中間開口が不要で且つ分岐位置を保護すると共にコルゲートチューブとの接続が容易にできるワイヤハーネス分岐部用の保護具を提供することを課題としている。
【課題を解決するための手段】
【０００７】
前記課題を解決するため、第１の発明として、ワイヤハーネスの幹線の半周を囲む断面円弧状の横軸部と、該横軸部の長さ方向中央から突出すると共に前記幹線から分岐する枝線の半周を囲む断面円弧状の縦軸部を備えたＴ形状の取付材を備え、
前記横軸部の長さ方向の両側部の外面に、長さ方向中央から先端に向けて横向きＶ字状に離反する一対の第１、第２ガイド部を突設し、
前記ワイヤハーネスの枝線を挟む幹線の両側にそれぞれ外装するコルゲートチューブに設けられたスリットを拡げ、該スリットの分割エッジをそれぞれ前記第１、第２ガイド部の両側外面に添わせて先端へと移動させて前記スリットを開いて前記コルゲートチューブを前記幹線に外装できるものとしていることを特徴とするワイヤハーネス分岐部の保護具を提供している。
【０００８】
前記保護具の取付材をワイヤハーネスの分岐部の半周外面に押し当て、枝線を挟む幹線の一方側に外装するコルゲートチューブのスリットを開き、該スリットを挟む両側の分割エッジを取付材の第１ガイド部の両側外面に添わせて移動させていくと、コルゲートチューブのスリットが次第に強制的に大きく拡げられて幹線に被さり、コルゲートチューブを幹線の一方側に外嵌させていくことができる。即ち、保護具がコルゲートチューブの通し治具の機能を果たすことになり、専用治具を設けることなく、コルゲートチューブを枝線を分岐させた幹線の一方側に外装することができる。
同様に、枝線を挟む幹線の他方側に外装するコルゲートチューブのスリットを開き、第２ガイド部に添わせて移動させて、コルゲートチューブを幹線の他方側に外装することができる。
【０００９】
前記枝線を挟む幹線の両側にそれぞれコルゲートチューブを外装した状態で、該両側のコルゲートチューブの端部を保護具の横軸部の両側に重ねて粘着テープで巻き付けて固着すると、該両側のコルゲートチューブと保護具で幹線を連続して保護することができる。かつ、該幹線から分岐する枝線は前記保護具の縦軸部で外装保護され、該縦軸部の先端を粘着テープで枝線に固着している。該枝線は粘着テープを巻き付けて保護しても良いし、樹脂チューブや樹脂シートを巻き付けて保護してもよい。
【００１０】
本発明の保護具の前記第１、第２ガイド部はＶ字状に突設した一対の凸条で形成し、または、Ｖ字状に突出させた１つの台座部で形成してもよい。
第１、第２ガイド部の両側外面が先端に向けて互いに離反し、コルゲートチューブのスリットを次第に拡げられる形状であればよい。
【００１１】
本発明の保護具の前記取付材を、ワイヤハーネスの幹線の全周および枝線の外周を囲むように一対設け、該一対の取付材を前記幹線および枝線の分岐部の全周にかぶせた状態で互いに係止できる係止部を突き合わせ端縁に設けている。
前記係止部は半割りした取付材の縦軸部の両側縁にロック爪と該ロック爪とロック結合できるロック枠を設けている。
なお、縦軸部の両側縁に凹部と凸部を設けてもよい。この凹凸嵌合した場合には、粘着テープを巻き付けて嵌合状態で保持する必要がある。
【００１２】
前記保護具は、ワイヤハーネスの幹線から枝線が分岐した分岐部の全周を囲むように、半割りした一対の取付材を備えている。この半割り部材からなる一対の取付材をワイヤハーネスの分岐部の両側の半周にかぶせた状態で互いに係止すると、保護具はワイヤハーネスの分岐位置に外装保持される。よって、保護具の取付材を必ずしも粘着テープでワイヤハーネスに巻き付けて固着した後にコルゲートチューブの通し作業をする必要はない。
【００１３】
しかしながら、コルゲートチューブのスリットを開いてワイヤハーネスに被せて行くためには、ワイヤハーネスの半周に押し当てる１つの取付材があればよく、一対の取付材は必須ではなく、一方の半割り部材のみを用いると材料費を半減できる。この半周に押し当てる１つの取付材を用いる場合には、該取付材の横軸部の両端をワイヤハーネスの幹線に粘着テープを巻き付けて固着し、かつ、縦軸部の先端を枝線に粘着テープを巻き付けて固着し、この状態で、該取付材のガイド部を用いてコルゲートチューブをワイヤハーネスに外装することが好ましい。
【００１４】
また、前記縦軸部の外面に、該縦軸部の先端に向けてＶ字状に両側外面が離反する第３ガイド部を突設してもよい。
前記構成とし、ワイヤハーネスの枝線に外装するコルゲートチューブに設けられたスリットを拡げ、該スリットの分割エッジをそれぞれ前記第３ガイド部の両側外面に添わせて先端へ移動させると、該コルゲートチューブを前記枝線に外装できる。よって、幹線から１つの枝線が分岐したＴ字分岐の両側の幹線および枝線をそれぞれコルゲートチューブで外装することができる。
【００１５】
本発明の保護具の前記取付材は、横軸部の中央下端から更に下向き縦軸部を突設して十字形状とし、該下向き縦軸部の外面にも下端に向けて下向きＶ字状に両側外面が離反する第４ガイド部を突設してもよい。
前記保護具を用いると、十字分岐するワイヤハーネスのいずれにもコルゲートチューブで簡単に外装することができる。
【００１６】
第２の発明として、前記保護具とコルゲートチューブとをＴ字状分岐部に外装したワイヤハーネス分岐部の保護構造を提供している。
【発明の効果】
【００１７】
本発明のワイヤハーネス分岐部用の保護具をワイヤハーネスのＴ字等の分岐部に取り付けると、該分岐部を挟むワイヤハーネスの幹線にコルゲートチューブのスリットを開いて被せ、該スリットの両端エッジを保護具の外面に設けたガイド部に沿って移動させていくだけで、コルゲートチューブを簡単に取り付けることができ、かつ、該コルゲートチューブを保護具と隙間なく連続させることができる。
かつ、本発明の保護具を用いると、コルゲート通し用の専用治具が不要となる。さらに、コルゲートチューブに中間丸穴開け作業が不要になると共に、該丸穴とワイヤハーネスの分岐位置の位置合わせも不要となり、作業性を高めることができる。
【図面の簡単な説明】
【００１８】
【図１】本発明の保護具の第１実施形態を示す斜視図である。
【図２】一対の保護具を示す斜視図である。
【図３】前記保護具をワイヤハーネスの分岐部に取り付けた状態を示し、（Ａ）は正面図、（Ｂ）は（Ａ）のＩＩ−ＩＩ線断面図である。
【図４】前記保護具を用いてコルゲートチューブを通す工程を示す斜視図である。
【図５】前記保護具を用いてワイヤハーネスの分岐部の幹線にコルゲートチューブを外装した状態を示す正面図である。
【図６】本発明の第２実施形態の保護具を示す斜視図である。
【図７】前記保護具の変形例を示す斜視図である。
【図８】（Ａ）（Ｂ）は前記保護具の他の変形例を示す斜視図である。
【図９】（Ａ）は第３実施形態の保護具を示す正面図、（Ｂ）は該保護具を用いてワイヤハーネスの幹線および枝線をコルゲートチューブで外装した状態を示す正面図である。
【図１０】（Ａ）は第４実施形態の保護具を示す正面図、（Ｂ）は該保護具を用いてワイヤハーネスの十字分岐の幹線および枝線をコルゲートチューブで外装した状態を示す正面図である。
【図１１】従来例を示す正面図である。
【図１２】他の従来例を示す図面である。
【発明を実施するための形態】
【００１９】
以下、本発明の実施形態を図面を参照して説明する。
図１乃至図５に第１実施形態を示す。
【００２０】
第１実施形態の保護具１は１つの取付材２からなる。該取付材２は、図１に示すように、ワイヤハーネス５０の幹線５１から１つの枝線５２が分岐するＴ字分岐部の全周に被せる一対の半割り部材２Ａと２Ｂのいずれか一方側からなる。即ち、第１実施形態の保護具１は半割り部材の一方側２Ａまたは２Ｂを用いて材料費を半減しており、後述する第２実施形態の保護具は半割り部材２Ａと２Ｂの両方を用いている。
【００２１】
保護具１の取付材２は、ワイヤハーネス５０の幹線５１の半周を囲む断面円弧状の横軸部１０と、該横軸部１０の長さ方向の中央から突出すると共に前記幹線５１から分岐する枝線５２の半周を囲む断面円弧状の縦軸部１１を備えた略Ｔ字形状としている。
【００２２】
前記横軸部１０の長さ方向Ｌの両側外面に、コルゲートチューブ通し治具の機能を果たす第１ガイド部１２と第２ガイド部１３とを左右対称に一体的に突設している。該第１、第２ガイド部１２、１３は長さ方向中央から長さ方向両側先端に向けて横向きＶ字状に突設している。該第１ガイド部１２は一対の凸条１２ａと１２ｂとからなり、該凸条１２ａと１２ｂは中央が互いに近接し、先端に向かって互いに離反している。
第２ガイド部１３も同様な形状で、一対の凸条１３ａと１３ｂとからなり、該凸条１３ａと１３ｂは中央が互いに近接し、先端に向かって互いに離反している。
また、横軸部１０の内周面の両側には、ワイヤハーネス５０の電線群に滑りなく固着できるように、複数本のリブ１８、１８を突設している。
さらに、横軸部１０の長さ方向中央から図中上向きに突出する縦軸部１１の先端側の左右両側縁に係止凹部１４ａと係止凸部１４ｂを設けている。
【００２３】
前記半割り部材の一方からなる１つの取付材２からなる保護具１は、図１および図３（Ｂ）に示すように、ワイヤハーネス５０のＴ字分岐の一側部の半周に押し当てるように被せる。この時点でワイヤハーネス５０を構成する電線群Ｗに粘着テープＴ−１を荒巻きで巻き付けて結束している。
取付材２は横軸部１０を幹線５１に被せ、縦軸部１１を枝線５２に被せ、この状態で、横軸部１０の両端および縦軸部１１の先端をワイヤハーネスの電線群にそれぞれ粘着テープＴー２、Ｔ−３、Ｔ−４で巻き付け、取付材２をワイヤハーネス５０に位置決め保持する。
【００２４】
ついで、図４に示すように、ワイヤハーネス５０の枝線５２を挟む左右一方側の幹線５１−Ａに外装するスリット入りのコルゲートチューブ２０のスリット２０ｓを拡げ、該スリット２０ｓの両側の分割エッジ２０ｅ１、２０ｅ２を第１ガイド部１２の両側の凸条１２ａと１２ｂの外面に添わせて先端へと移動させていくと、スリット２０ｓは強制的に拡げられる。スリット２０ｓが拡がることで、コルゲートチューブ２０は幹線５１に被さり、コルゲートチューブ２０を幹線５１−Ａに外嵌させていくことができる。
【００２５】
同様に、枝線５２を挟む幹線５１の他方側５１ーＢに外装するコルゲートチューブ２１のスリットを開き、第２ガイド部１３に添わせて移動させて、コルゲートチューブ２１を幹線５１−Ｂに外装することができる。
【００２６】
このように幹線５１−Ａ、５１−Ｂにそれぞれコルゲートチューブ２０、２１を外装し、その端部を取付材２の横軸部１０の両側に重ね、図５に示すように、粘着テープＴー５、Ｔ−６を巻き付けてコルゲートチューブ２０、２１を保護具１に固着する。これにより、幹線５１の分岐部はコルゲートチューブ２０、２１と保護具１により外装保護される。
枝線５２は粘着テープを巻き付けて集束保護してもよいし、樹脂製の丸チューブで外装してもよい。
【００２７】
図６に第２実施形態を示す。
第２実施形態は前記図２に示すように、ワイヤハーネス５０の幹線５１から１つの枝線５２が分岐するＴ字分岐部の全周に被せる一対の半割り部材２Ａと２Ｂからなる取付材を用いている。一方の半割り部材２Ａは前記第１実施形態に記載の取付材２であり、縦軸部１１の先端に係止凹部１４ａと係止凸部１４ｂを備えている。他方の半割り部材２Ｂは縦軸部１１の先端に同様に係止凹部１４ａと係止凸部１４ｂを備えている。
【００２８】
前記取付材２の半割り部材２Ａと２Ｂとをワイヤハーネス５０のＴ字分岐部の両側に被せる。この状態で縦軸部１１、１１の突き合わされる先端側の係止凹部１４ａを係止凸部１４ｂに嵌合して位置合わせする。この状態で第１実施形態と同様に、粘着テープＴ−２〜Ｔー４を巻き付けて半割り部材２Ａと２Ｂからなる取付材をワイヤハーネス５０に固着する。
【００２９】
前記のように、ワイヤハーネス５０のＴ字分岐部の全周を囲んだ状態で、取付材２の半割り部材２Ａと２Ｂのいずれか一方の第１ガイド部１２を利用して、第１実施形態と同様に、コルゲートチューブ２０を一方側の幹線５１−Ａに外装し、第２ガイド部１３を利用して、コルゲートチューブ２１を他方側の幹線５１−Ｂに外装する。
【００３０】
該第２実施形態では、ワイヤハーネス５０の分岐位置の全周が取付材の半割り部材２Ａと２Ｂで囲まれるため、保護機能が高まる利点がある。
【００３１】
図７に取付材２に設ける第１、第２ガイド部１２、１３の変形例を示す。
変形例では、第１ガイド部１２Ａおよび第２ガイド部１３Ａは、一対の凸条から形成せず、それぞれＶ字状に突出した１つの段部から形成している。該１つの段部の両側外面の１２ｓ１と１２ｓ２（１３ｓ１と１３ｓ２）にコルゲートチューブのスリットを拡げて両側エッジを添わせ移動させると、スリットを強制的に拡げてワイヤハーネスにコルゲートチューブを被せることができる。
【００３２】
図８に半割り部材２Ａと２Ｂに設ける係止部の変形例を示す。
半割り部材２Ａ、２Ｂの縦軸部１１の一方の側縁先端に係止爪１４ｒを設ける一方、他方の側縁先端に係止枠１４ｋを設けている。半割り部材２Ａと２Ｂの縦軸部１１の側縁を突き合わせて、係止爪１４ｒを係止枠１４ｋに挿入してロック結合できるようにしている。これにより、半割り部材２Ａと２Ｂの縦軸部１１、１１とを枝線５２を挟んでロック結合でき、その結果、横軸部１０、１０も突き合わせ状態で位置決め保持でき、粘着テープを巻き付けて取付材２をワイヤハーネスに固着する必要がない。
【００３３】
図９（Ａ）（Ｂ）に第３実施形態を示す。
第３実施形態の保護具１−Ｂは、ワイヤハーネス５０の幹線５１から分岐した枝線５２にもコルゲートチューブ２２を外装する場合に用いるものである。
該保護具１−Ｂは縦軸部１１の外面に第３ガイド部１５を設けている。該第３ガイド部１５は横軸連結側から先端に向けて縦向きにＶ字状に拡大する一対の凸条１５ａ、１５ｂを備えている。他の形状は第１実施形態と同様であるため、説明を省略する。
前記第３ガイド部１５に下方からコルゲートチューブ２２のスリット２２ｓを開き、スリット２２ｓの両側の分割エッジを凸条１５ａ、１５ｂの外面に添わせて上昇させていくと、コルゲートチューブ２２のスリット２２ｓが拡がり、枝線５２にコルゲートチューブ２２を被せて外装できる。
図９（Ｂ）の幹線５１に外装するコルゲートチューブ２０、２１の外装方法は第１実施形態と同様であるため、説明を省略する。
【００３４】
図１０（Ａ）（Ｂ）に第４実施形態を示す。
第４実施形態の保護具１−Ｃは、ワイヤハーネス５０の幹線５１から枝線５２Ａと５２Ｂとが直交方向に分岐する十字分岐に取り付けるものである。幹線５１の左右両側５１−Ａ、５１−Ｂおよび上下枝線５２Ａ、５２Ｂにそれぞれコルゲートチューブ２０〜２３を装着できるようにしている。
【００３５】
保護具１−Ｃは第３実施形態の取付材の横軸部１０の中央から下部へ突出する下向き縦軸部１６を設け、該下向き縦軸部１６の外面に下向きにＶ字状に拡大するガイド部１７を突設している。該ガイド部１７は一対の凸条１７ａ、１７ｂからなる。コルゲートチューブ２３のスリットを開いて凸条１７ａ、１７ｂの外面に添わせて移動さすことで、コルゲートチューブ２３を枝線５２Ｂに外装することができる。
これにより、十字分岐する左右幹線及び上下枝線にそれぞれコルゲートチューブ２０〜２３を簡単に外装することができる。
【符号の説明】
【００３６】
１  保護具
２  取付材
１０  横軸部
１１  縦軸部
１２  第１ガイド部
１３  第２ガイド部
１４ａ  係止凹部
１４ｂ  係止凸部
２０〜２３  コルゲートチューブ
２０ｓ  スリット
５０  ワイヤハーネス
５１  幹線
５２  枝線
Ｔ−１〜Ｔ−４  粘着テープ
【図１】
2013225981.tif 000003
【図２】
2013225981.tif 000004
【図３】
2013225981.tif 000005
【図４】
2013225981.tif 000006
【図５】
2013225981.tif 000007
【図６】
2013225981.tif 000008
【図７】
2013225981.tif 000009
【図８】
2013225981.tif 000010
【図９】
2013225981.tif 000011
【図１０】
2013225981.tif 000012
【図１１】
2013225981.tif 000013
【図１２】
2013225981.tif 000014